(57)【特許請求の範囲】
【請求項１】
少なくとも８種類以上の異なる画像を有する複数のカードを、８枚以上のカードを一単位のカードとして印刷版上に複数の前記一単位のカードを割付て製版し印刷する工程と、前記一単位のカード毎に断裁する工程とからなり、異なる一単位のカードを重ね合わせたとき、各カード一枚の上下の重なっているカードの種類が同じものがないように割付られてあって、前記異なる一単位のカードを前記異なる画像を有する複数のカードの枚数分作製し、該異なる一単位のカードをランダムな順番で重ね合わせ、カード一枚毎に断裁し重なった一列を分離してかき混ぜ、該重なった一列の中から包装する枚数を取り出し袋状の容器に包装することを特徴とするカード分配包装方法。
【請求項２】
前記異なる一単位のカードをランダムな順番で重ね合わせることを、エンドレスチェーンに複数の収納部を有する装置を用いて、予め取り出す順番を指定したランダムな順番に従って重ね合わせを行なうことを特徴とする請求項１記載のカード分配包装方法。
【請求項３】
前記包装する包装体の中に、枚数の少ない貴重カードを混入した包装体を作成するために、前記カード一枚毎に断裁し重なった一列を分離してかき混ぜ、該重なった一列の中から包装する枚数より前記貴重カードの枚数を引いた枚数を選び、それに該貴重カードを間に挿入することを特徴とした請求項１又は請求項２記載のカード分配包装方法。
【請求項４】
前記一単位のカードには識別可能な文字、数字、記号等のマークが存在することを特徴とする請求項１乃至請求項３のいずれか一つに記載のカード分配包装方法。
【発明の詳細な説明】
【０００１】
【発明の属する技術分野】
本発明は、例えば、トレーディングカード等の複数の種類があり、不透明な包装体に数枚ずつ内容が分からないようにして販売されていて、購入した人が当たり、外れ的感覚を持つカードの分配包装方法に関する。
【０００２】
【従来の技術】
従来の技術は、手作業で同じカードが入らないように注意して作業者が分配して包装していた。しかし、作業が忙しくなり輻輳してくると、注意が散漫になり、同じカードではないが同じ組み合わせのカードになったりして、購入した人がまた同じ組み合わせのカードを手にしてがっかりしてしまったり、時には同じカードが入っていたりでクレームがきていた。
【０００３】
【発明が解決しようとする課題】
本発明は、上記問題点を解決すべく、作業者が特段の注意をしなくても、同じ組み合わせや、同じカードが入った包装体が出来ないようなカードの分配包装方法を提供することを課題とする。
【０００４】
【課題を解決するための手段】
請求項１に記載の発明は、少なくとも８種類以上の異なる画像を有する複数のカードを、８枚以上のカードを一単位のカードとして印刷版上に複数の前記一単位のカードを割付て製版し印刷する工程と、前記一単位のカード毎に断裁する工程とからなり、異なる一単位のカードを重ね合わせたとき、各カード一枚の上下の重なっているカードの種類が同じものがないように割付られてあって、前記異なる一単位のカードを前記異なる画像を有する複数のカードの枚数分作製し、該異なる一単位のカードをランダムな順番で重ね合わせ、カード一枚毎に断裁し重なった一列を分離してかき混ぜ、該重なった一列の中から包装する枚数を取り出し袋状の容器に包装することを特徴とするカード分配包装方法である。
このような構成としたので、同じカードが同一の包装体に包装されることは無いし、カード一枚毎に断裁し重なった一列を分離してかき混ぜるので、そのかき混ぜる前段階ですでに異なっているので、同じような組み合わせができることも防止できる。
【０００５】
請求項２に記載の発明は、前記異なる一単位のカードをランダムな順番で重ね合わせることを、エンドレスチェーンに複数の収納部を有する装置を用いて、予め取り出す順番を指定したランダムな順番に従って重ね合わせを行なうことを特徴とする請求項１記載のカード分配包装方法である。
このような構成としたので、８枚以上のカードを一単位のカードとして複数のカードの枚数分作製するときに、一単位のカードの８個以上の位置の同じ位置に同じ画像が配置されないようにしてあるが、さらに、一単位のカードをランダム化するので、上記よりさらにランダム化の程度が進む。
【０００６】
請求項３に記載の発明は、前記包装する袋の中に、枚数の少ない貴重カードを混入した包装袋を作成するために、前記カード一枚毎に断裁し重なった一列を分離してかき混ぜ、該重なった一列の中から包装する枚数より前記貴重カードの枚数を引いた枚数選び、それに該貴重カードを間に挿入することを特徴とした請求項１又は請求項２記載のカード分配包装方法である。
このような構成としたので、上記の作用効果を維持して、貴重カードを確実に分配包装することができる。
【０００７】
請求項４に記載の発明は、前記一単位のカードには識別可能な文字、数字、記号等のマークが存在することを特徴とする請求項１乃至請求項３のいずれか一つに記載のカード分配包装方法である。
このような構成としたので、似たような画像が印刷されている一単位のカードの識別ができ、途中の製版上の面付け（レイアウト）や分配準備作業等で識別不良で混乱が防止できる。
【０００８】
【発明の実施の形態】
実施の形態を図面を用いて詳細に説明する。
図１は本発明のカード分配包装方法を構成する８枚のカード２を面付け（レイアウト）した一単位のカード１の説明図である。一単位のカード１は８枚以上で任意の枚数を選べるが８枚の例で説明する。８枚で約Ａ４サイズとなり、出版用の面付けと近似でき製版、印刷等で取り扱い易くなる。これより小さいと枚数が多いときに対応しにくい。カード２は周囲に余白を含む例とする。カードの仕上がり寸法は縦長８９ｍｍ，横幅６３．５ｍｍ，厚さ０．４ｍｍ，重さ２．２ｇ（上質紙にポリプロピレン貼り）が一例として挙げられる。  しかし、構成、サイズ等は特に限定しないが大幅に異なるものではない。
【０００９】
図２は本発明のカード分配包装方法を構成する図１の一単位のカード１を８枚面付けして製版、印刷した状態を示す印刷物３の説明図である。カードの位置イ〜チの同じ位置には同じカードが配置されないように面付けする。同一カード上の他の位置には同じカードが配置されてもよい。即ち、印刷物３を断裁して一単位のカード１にして該一単位のカード１を重ねたとき、重なった位置イ〜チの上下方向には同じ画像のカードが無いようにすることが重要である。
【００１０】
また、図２は一単位のカード１を８面付け（余白含む）でＡ１サイズの用紙に印刷した想定であるが、印刷の版サイズ等により種種の面付けが可能である。
しかし、一単位のカード１の種類はカードの枚数分作製する。例えばトレーディングカードの種類が４０種であれば一単位のカード１の種類は４０である。
【００１１】
図３は一単位のカード１の別の形態である。カード２には余白４を含まず、周囲に余白４を設け、文字，数字，記号等の識別マーク５を設けた場合の説明図である。このように識別マークを設けると途中工程で管理が容易になる。
図２の場合でも余白部分に識別マーク５を設けることができる。
【００１２】
図４は本発明のカード分配包装方法に用いるエンドレスチェーン６と複数の収納部７を有する分配装置８を示す説明図である。エンドレスチェーン６はエンドレスベルトと収納部の組み合わせでもよい。収納部７には一単位のカード１を種類別に積み重ねて置く。収納部７はカードの種類の数あることが望ましいが、カードの種類が非常に多い場合は何回かに分けてもよい。
【００１３】
収納部７には識別マーク５に対応したマークが付いており、乱数等によりランダムに決められた組み合わせに従い、収納部７より一単位のカード１を重ね合わせる。これをカード一枚のサイズに断裁して縦方向に重なったカードのグループに分ける。このグループは全て異なる種類の画像のカードで、各グループのカードの重なり順序も異なるものである。
【００１４】
図５は包装体９の正面説明図である。不透明なプラスチック製の袋にカード２が複数枚収納され、シール部１０で熱融着されている。
図６は図５のＡ−Ａ断面説明図である。カード２は上記グループのカードをかき混ぜ４枚任意に選んで収納したものである。全て異なる画像で順番も異なるカードをかき混ぜ任意に規定枚数のカードを選んで収納するため、同じ画像のカードが収納されることも無いし、同種の組み合わせのカードも収納されない。
【００１５】
また、金ぴかのカードや製作枚数の少ない貴重カード等を収納する場合も、上記のように途中まで行い、選ぶカードの枚数を収納枚数マイナス貴重カードの枚数とし、それに貴重カードを中央近くに挿入することによりランダムでかつ貴重カードが収納された包装体が作製できる。
包装体９としては、包装袋、包装紙で包んだもの容器等容易に中味が取り出せないようになっているものであればよい。しかし、不透明の袋、不透明の包装紙、不透明の容器等がこのましい。
【００１６】
【実施例】
以下図面を用いて実施例を説明する。
＜実施例１＞
４０種類の画像を有するトレーディングカードを上質紙にオフセット枚葉印刷機（４色×４色）で印刷し表面にポリプロピレンシートを貼着した。
版は図２に示す面付けで行った。台割は５台で行い、一単位のカードを４０種類作製した。これを図４に示す分配装置で乱数発生でランダムな順序で４０種類の一単位のカードを重ね合わせた。それをカード一枚毎に断裁し、さらにカードの余白と角部を断裁して、縦方向の重なりのグループとした。これをグループ単位でかき混ぜ、その中から４枚任意に選び、不透明のプラスチック袋に収納して、図５、図６のように熱融着してカードを分配包装した。
【００１７】
＜実施例２＞
実施例１と同様にグループ単位のカードを作製した。
別途画像としてホログラムを施した高価な貴重カードを作製し、前記グループから３枚任意に選び、その間に該貴重カードを挿入し同様に分配包装した。
実施例１の通常品の包装袋１４９袋に貴重カード入り袋１袋を混ぜた。
【００１８】
【発明の効果】
請求項１の発明は、同じカードが同一の包装体に包装されることは無いし、カード一枚毎に断裁し重なった一列を分離してかき混ぜるので、そのかき混ぜる前段階ですでに異なっているので、同じような組み合わせができることも防止できる。
【００１９】
請求項２に記載の発明は、８枚以上のカードを一単位のカードとして複数のカードの枚数分作製するときに、一単位のカードの８個以上の位置の同じ位置に同じ画像が配置されないようにしてあるが、さらに、一単位のカードをランダム化するので、上記よりさらにランダム化の程度が進む。
【００２０】
請求項３に記載の発明は、上記の作用効果を維持して、貴重カードを確実に分配包装することができる。
【００２１】
請求項４に記載の発明は、似たような画像が印刷されている一単位のカードの識別ができ、途中の製版上の面付け（レイアウト）や分配準備作業等で識別不良での混乱が防止できる。
【図面の簡単な説明】
【図１】本発明のカード分配方法の構成要素の一単位のカードの説明図である。
【図２】本発明のカード分配方法の構成要素の一単位のカードを面付けした印刷物の説明図である。
【図３】本発明のカード分配方法の構成要素の一単位のカードの別の形態の説明図である。
【図４】本発明のカード分配方法の構成要素の分配装置の説明図である。
【図５】本発明のカード分配方法の構成要素の包装体の正面説明図である。
【図６】図５のＡ−Ａ断面説明図である。
【符号の説明】
１…一単位のカード  ２…カード  ３…印刷物  ４…余白  ５…識別マーク  ６…エンドレスチェーン  ７…収納部  ８…分配装置  ９…包装体  １０…熱融着部
【図１】
0004576681.tif 000002
【図２】
0004576681.tif 000003
【図３】
0004576681.tif 000004
【図４】
0004576681.tif 000005
【図５】
0004576681.tif 000006
【図６】
0004576681.tif 000007